(57)【要約】  【課題】  超音波診断装置において、カラーフロー専用ハードウェアとパルスドプラ専用ハードウェアの両方を用意せずに、カラーフロー単独モードとカラーフロー・パルスドプラ同時モードを実現する。  【解決手段】  カラーフロー単独モードの場合、直交検波部３は現在入力された受信信号のフレームメモリ水平アドレスから、アドレスの値が奇数の場合には第１演算部５、偶数の場合は第２演算部６へ転送し、演算部５、６ではそれぞれ、第１メモリ部１２、第２メモリ部１３上のプログラムによりカラーフロー演算を行う。カラーフロー・パルスドプラ同時モードの場合は、直交検波部は入力された受信信号がパルスドプラ用の信号であれば検波信号を第１演算部へ転送し、カラーフロー用の信号であれば検波信号を第２演算部へ転送する。第１演算部では第１メモリ部上のプログラムによりパルスドプラの演算を行い、第２演算部では第２メモリ部上のプログラムによりカラーフロー演算を行う。【選択図】  図１
2005253832.tif 000002
【特許請求の範囲】
【請求項１】
超音波探触子から被検体に超音波を送受信し、前記被検体からのエコー信号を処理し画像化する超音波診断装置において、
単独モードにおけるカラーフロー処理過程が記述された第１のプログラム、及び同時モードにおけるカラーフロー処理過程並びにパルスドプラ処理過程が記述された第２のプログラムを記憶する記憶手段と、
前記単独モード時に前記記憶手段に記憶された前記第１のプログラムに基づいてカラーフロー処理を実行し、前記同時モード時に前記記憶手段に記憶された前記第２のプログラムに基づいてカラーフロー処理及びパルスドプラ処理を同時に実行する演算処理手段とを、
備えたことを特徴とする超音波診断装置。
【請求項２】
前記演算処理手段は、第１及び第２の演算手段を有し、
前記単独モード時に前記第１及び第２の演算手段は共に、前記記憶手段に記憶された第１のプログラムに基づいてカラーフロー処理を実行し、
前記同時モード時に前記第１の演算手段は前記記憶手段に記憶された第２のプログラムに基づいてカラーフロー処理を実行し、前記第２の演算手段は前記記憶手段に記憶された第２のプログラムに基づいてパルスドプラ処理を実行することを特徴とする請求項１に記載の超音波診断装置。
【請求項３】
前記記憶手段は、
前記第１の演算手段が前記単独モード時にカラーフロー処理する前記第１のプログラム、及び前記同時モード時にカラーフロー処理を実行する前記第２のプログラムを記憶するための第１の記憶手段と、
前記第２の演算手段が前記単独モード時にカラーフロー処理する前記第１のプログラム、及び前記同時モード時にパルスドプラ処理を実行する前記第２のプログラムを記憶するための第２の記憶手段と、
前記第１及び第２の記憶手段が記憶する前記第１及び第２のプログラムをあらかじめ記憶する第３の記憶手段と、
前記第３の記憶手段にあらかじめ記憶されたプログラムを前記単独モード時又は前記同時モード時に応じて前記第１、第２の記憶手段へ転送する転送手段とを、
有することを特徴とする請求項２に記載の超音波診断装置。
【請求項４】
前記記憶手段には、
前記演算処理手段で行なう処理が記述されたプログラムと、前記プログラムを実行制御する並列処理基本プログラムが記憶されていることを特徴とする請求項１に記載の超音波診断装置。
【請求項５】
前記第１のプログラムのカラーフロー処理と前記第２のプログラムのカラーフロー処理が同一の処理で行われることを特徴とする請求項１から４までのいずれか１つに記載の超音波診断装置。
【請求項６】
前記記憶手段は、前記単独モード時におけるパルスドプラ処理が記述された第３のプログラムを記憶し、
前記演算処理手段は、前記単独モード時に前記記憶手段に記憶された第３のプログラムに基づいてパルスドプラ処理を実行することを特徴とする請求項１に記載の超音波診断装置。
【請求項７】
前記演算処理手段は、前記単独モード時に前記記憶手段に記憶された第２のプログラムに基づいてパルスドプラ処理を実行することを特徴とする請求項１から４までのいずれか１つに記載の超音波診断装置。
【発明の詳細な説明】
【技術分野】
【０００１】
本発明は、医用分野において超音波を利用して体内の断層像を取得・測定し、さらに超音波のドプラ現象を利用して体内の血流情報を取得・測定し、画像・音声出力を行う超音波診断装置に関し、特に血流のドプラ分析を行うパルスドプラモードと、血流のイメージング分析を行うカラーフローモードを有する超音波診断装置に関する。
【背景技術】
【０００２】
パルスドプラモードとカラーフローモードを有する従来の超音波診断装置１００は、図４に示すように、超音波信号の送受信を行なう探触子２と、探触子２の電気信号の送受信を行なう送受信部１と、送受信部１からのエコー信号成分を互いに直交する２つの信号成分Ｉ、Ｑに検波する直交検波部３と、送受信部１からのエコー信号の断層像処理を行なう断層像形成部４と、ＤＳＰ（Digital Signal Processor）１５及びＤＳＰ１５が処理するパルスドプラ処理用プログラムとカラーフロー処理用プログラムが格納されたメモリ１６を有するドプラ信号処理部６０と、断層像形成部４及びドプラ信号処理部６０の演算結果をモニタ８に表示するためにデータの変換を行なうＤＳＣ（Digital Scan Converter）７と、ＤＳＣ７により処理された映像を表示するモニタ８と、ＤＳＰ１５がパルスドプラ処理用プログラムを実行するか又はカラーフロー処理用プログラムを実行するかを決める制御部１９で構成されている（例えば下記の特許文献１参照）。
【０００３】
このような構成では、まず、制御部１９の指示によりＤＳＰ１５がパルスドプラ処理用プログラム又はカラーフロー処理用プログラムを起動する。探触子２は送受信部１からの電気信号によって図示省略の被検体に超音波を送信し、さらに被検体から帰ってくる超音波を電気信号に変換し送受信部１に送る。送受信部１は遅延加算を行い、その結果を受信信号として直交検波部３と断層像形成部４に送る。ＤＳＰ１５は実行されているプログラムの演算を行い、演算結果をＤＳＣ７に送り、モニタ８で演算結果を表示している。
【０００４】
また、パルスドプラモードとカラーフローモードを有する他の従来の超音波診断装置１００は、図５に示すように、超音波信号の送受信を行う探触子２と、探触子２に電気信号の送受信を行う送受信部１と、送受信部１からのエコーの成分を互いに直交する２つの信号成分Ｉ、Ｑに検波する直交検波部３と、送受信部１からのエコー信号の断層像処理を行う断層像形成部４と、パルスドプラ専用演算器３５と、カラーフロー専用演算器３６と、断層像形成部４、パルスドプラ専用演算器３５及びカラーフロー専用演算器３６の演算結果をモニタ８に表示するためにデータの変換を行なうＤＳＣ７と、ＤＳＣ７により処理された映像を表示するモニタ８と、超音波の送受信周波数ＰＲＦ（Pulse Repetition Frequency）を制御し、カラーフロー用とパルスドプラ用の演算の超音波信号を交互に送信するために送受信信号を制御し、さらにカラーフロー専用演算器３６とＤＳＣ７を制御するラスタ制御部２０で構成されている（例えば下記の特許文献２及び特許文献３参照）。
【０００５】
このような構成では、ラスタ制御部２０は送受信部１に断層像用・カラーフロー用の超音波信号とパルスドプラ用の超音波信号を交互に送信する制御信号を送り、探触子２は送受信部１により駆動され、超音波信号を送信する。断層像形成部４は送受信部１からの受信信号から断層像を検出しＤＳＣ７へ送る。また、直交検波部３は送受信部１からの受信信号を位相検波しドプラ偏移信号を得る。さらにこの信号をパルスドプラ専用演算器３５により周波数分析し、血流の向き及びスペクトラムからなる血流速度データを得る。またラスタ制御部２０により制御されるカラーフロー専用演算器３６は直交検波部３からの信号に対してカラーフロー演算を行う。そしてこれらのデータは、ラスタ制御部２０により制御されるＤＳＣ７に書き込まれ、ＴＶスキャン変換されてモニタ８にパルスドプラ出力画像、断層像にカラーフロー出力を重ねた画像を同時に表示する。
【０００６】
この手法では、カラーフロー単独モードの検出範囲＝±ＰＲＦ／２と比較して、カラーフロー兼断層像用の超音波信号を交互に送出するため、カラーフローとパルスドプラの演算それぞれに使用する超音波信号のＰＲＦが半分になり、カラーフローモードの検出範囲はパルスドプラの検出範囲と同様に±ＰＲＦ／４となる。
【特許文献１】特開平２−１３４１４３号公報（第１図）
【特許文献２】特開平２−１３４１４３号公報（第３図）
【特許文献３】特開平３−４７号公報（第１図）
【発明の開示】
【発明が解決しようとする課題】
【０００７】
しかしながら、前者の従来の超音波診断装置においては、カラーフローモードとパルスドプラモードの各画像を同時に表示できないという問題があった。また、後者では、カラーフロー・パルスドプラ同時モード時には、カラーフロー単独モード時又はパルスドプラ単独モード時に比べ、カラーフロー専用演算器３６とパルスドプラ専用演算器３５に入力される信号の周期が低く、カラーフロー・パルスドプラ同時モードの際に、それぞれの演算器の能力に余りが生じる問題があり、例えばパルスドプラ処理の演算量がカラーフロー処理の演算量の半分の場合、カラーフロー・パルスドプラ同時モードの際に、パルスドプラを演算するハードウェアの演算能力が使用されていないという問題がある。
【０００８】
本発明は、上記従来の問題を解決するためになされたもので、カラーフロー・パルスドプラ同時モードが可能であるとともに、カラーフロー・パルスドプラ同時モード時の処理を行う際のハードウェアの無駄を省くことのできる超音波診断装置を提供することを目的とする。
【課題を解決するための手段】
【０００９】
本発明の超音波診断装置は上記目的を達成するために、超音波探触子から被検体に超音波を送受信し、前記被検体からのエコー信号を処理し画像化する超音波診断装置において、
単独モードにおけるカラーフロー処理過程が記述された第１のプログラム、及び同時モードにおけるカラーフロー処理過程並びにパルスドプラ処理過程が記述された第２のプログラムを記憶する記憶手段と、
前記単独モード時に前記記憶手段に記憶された前記第１のプログラムに基づいてカラーフロー処理を実行し、前記同時モード時に前記記憶手段に記憶された前記第２のプログラムに基づいてカラーフロー処理及びパルスドプラ処理を同時に実行する演算処理手段とを、
備えた構成とした。
この構成により、演算処理手段が処理する内容を変更できるので、カラーフロー専用ハードウェアとパルスドプラ専用ハードウェアの両方を用意せずに、カラーフロー単独モード、カラーフロー・パルスドプラ同時モードを実現できる。
【００１０】
また、本発明の超音波診断装置は、前記演算処理手段が、第１及び第２の演算手段を有し、
前記単独モード時に前記第１及び第２の演算手段は共に、前記記憶手段に記憶された第１のプログラムに基づいてカラーフロー処理を実行し、
前記同時モード時に前記第１の演算手段は前記記憶手段に記憶された第２のプログラムに基づいてカラーフロー処理を実行し、前記第２の演算手段は前記記憶手段に記憶された第２のプログラムに基づいてパルスドプラ処理を実行する構成とした。
この構成により、２つのハードウェアを使用して、カラーフロー単独モード、カラーフロー・パルスドプラ同時モードを実現できる。
【００１１】
また、本発明の超音波診断装置は、前記記憶手段が、
前記第１の演算手段が前記単独モード時にカラーフロー処理する前記第１のプログラム、及び前記同時モード時にカラーフロー処理を実行する前記第２のプログラムを記憶するための第１の記憶手段と、
前記第２の演算手段が前記単独モード時にカラーフロー処理する前記第１のプログラム、及び前記同時モード時にパルスドプラ処理を実行する前記第２のプログラムを記憶するための第２の記憶手段と、
前記第１及び第２の記憶手段が記憶する前記第１及び第２のプログラムをあらかじめ記憶する第３の記憶手段と、
前記第３の記憶手段にあらかじめ記憶されたプログラムを前記単独モード時又は前記同時モード時に応じて前記第１、第２の記憶手段へ転送する転送手段とを、
有する構成とした。
この構成により、大容量記憶手段に２つのプログラムを格納し、モード決定ごとに転送手段が第１小容量記憶手段と第２小容量記憶手段に必要なプログラムを転送することによって、第１小容量記憶手段と第２小容量記憶手段の容量を小さくすることができる。また、このため、第１、第２の演算手段と第１、第２の小容量記憶手段をＤＳＰで構成することができる。
【００１２】
さらに、本発明の超音波診断装置は、前記記憶手段が、
前記演算処理手段で行なう処理が記述されたプログラムと、前記プログラムを実行制御する並列処理基本プログラムが格納されている構成とした。
この構成により、演算手段として１つのハードウェアを割り当てるだけで、カラーフロー単独モード、カラーフロー・パルスドプラ同時モードが可能になる。
【００１３】
さらに、本発明の超音波診断装置は、
前記第１のプログラムのカラーフロー処理と前記第２のプログラムのカラーフロー処理が同一の処理で行われる構成とした。
この構成により、前記第１のプログラムと前記第２のプログラムを記憶する前記記憶手段の容量がより少なくなり、プログラムの無駄を省くことができる。
【００１４】
さらに、本発明の超音波診断装置は、
前記記憶手段が、前記単独モード時におけるパルスドプラ処理が記述された第３のプログラムを記憶し、
前記演算処理手段が、前記単独モード時に前記記憶手段に記憶された第３のプログラムに基づいてパルスドプラ処理を実行する構成とした。
この構成により、簡単な構成で３つのモードが可能になる。
【００１５】
さらに、本発明の超音波診断装置は、
前記演算処理手段が、前記単独モード時に前記記憶手段に記憶された第２のプログラムに基づいてパルスドプラ処理を実行する構成とした。
この構成により、単独モードを加えた３つのモードが可能になる。
【発明の効果】
【００１６】
本発明は、カラーフロー専用ハードウェアとパルスドプラ専用ハードウェアの両方を用意せずに、カラーフロー単独モードとカラーフロー・パルスドプラ同時モードを実現できる。
【発明を実施するための最良の形態】
【００１７】
以下、本発明の実施の形態の超音波診断装置について、図面を用いて説明する。
＜第１の実施の形態＞
本発明の第１の実施の形態の超音波診断装置を図１に示す。図１において、超音波診断装置１００は、複数の電気音響変換素子を持ち超音波を送受信する探触子２と、探触子２に電気信号を送受信する送受信手段である送受信部１と、送受信部１の受信信号から被検体内のグレースケール断層像を作成する断層像形成手段である断層像形成部４と、送受信部１の受信信号からドプラ偏移を受けた成分を検出し検波信号とする位相検波手段である直交検波部３と、プログラムで処理の記述が行なえる演算処理手段である演算処理部５０と、演算処理部５０が使用する記憶手段であるメモリ部１２、１３と、モニタ８に表示するためにデータを変換するＤＳＣ７、演算結果の画像を表示する表示手段であるモニタ８と、送受信部１、第１演算部５、第２演算部６及びＤＳＣ７を制御する制御手段である制御部１１を有する構成である。
演算処理部５０は第１の演算手段である第１演算部５と、第２の演算手段である第２演算部６と、第１演算部５と第２演算部６がそれぞれ使用する第１の記憶手段である第１メモリ部１２と、第２の記憶手段である第２メモリ部１３で構成されている。
【００１８】
以上のように構成された超音波診断装置１００についてその動作を説明する。まず、第１メモリ部１２、第２メモリ部１３には、パルスドプラ単独モード時と、カラーフロー単独モード時とカラーフロー・パルスドプラ同時モード時におけるプログラムが格納されている。まず、各モードに応じて制御部１１が第１演算部５と第２演算部６にそれぞれ第１メモリ部１２と第２メモリ部１３内のどのプログラムを実行するかを制御し、さらに送受信部１にパルスドプラ用又はカラーフロー単独用又はカラーフロー・パルスドプラ同時用の送信方法を制御する。このとき、カラーフロー・パルスドプラ同時モードの場合はカラーフロー用の超音波信号とパルスドプラ用の超音波信号を交互に送受信するように送受信部１を制御する。
【００１９】
送受信部１は電気信号を探触子２へ送り、探触子２は被検体へ超音波信号を送信して被検体から反射した超音波信号を電気信号に変換して送受信部１に送り、送受信部１では、遅延加算処理を行い受信信号を作成する。断層像形成部４は送受信部１からの受信信号から断層像を検出してそれをＤＳＣ７へ送る。直交検波部３は送受信部１からの受信信号を位相検波し検波信号を得る。また、制御部１１は直交検波部３へ現在入力されている受信信号がカラーフロー用かパルスドプラ用かを識別する信号を送信し、さらにＤＳＣ７内にあるフレームメモリのどの部分に演算結果を書き込むかを示すフレームメモリ水平アドレスの情報を送信する。その後の処理は（１）パルスドプラ単独モード、（２）カラーフロー単独モード、（３）カラーフロー・パルスドプラ同時モードに分けて説明する。
【００２０】
（１）まず、パルスドプラ単独モードの場合、直交検波部３は第１演算部５に検波信号を送信し、第１演算部５は第１メモリ部１２上のパルスドプラ単独モード演算用のプログラムを実行し、演算結果をＤＳＣ７ヘ転送する。この演算結果はＤＳＣ７によりＴＶスキャンされてモニタ８に表示される。又は、パルスドプラ単独モードの場合、第１演算部５では第１メモリ部１２上のプログラムにより、検波信号からパルスドプラの音声出力を主に作成する処理をし、第２演算部６では第２メモリ部１３上のプログラムにより、第１演算部５の被検体の組織からの動き情報を取り除いた信号を蓄積し、ＦＦＴ処理してＤＳＣ７へ転送する。この演算結果はＤＳＣ７によりＴＶスキャンされてモニタ８に表示される。
【００２１】
（２）カラーフロー単独モードの場合、直交検波部３は現在入力された受信信号のフレームメモリ水平アドレスから、アドレスの値が奇数の場合には第１演算部５、偶数の場合は第２演算部６へ転送し、演算部５、６ではそれぞれ、第１メモリ部１２、第２メモリ部１３上のプログラムによりカラーフロー演算を行い、ＤＳＣ７へ転送する。
【００２２】
（３）カラーフロー・パルスドプラ同時モードの場合は、直交検波部３は入力された受信信号がパルスドプラ用の信号であれば検波信号を第１演算部５へ転送し、入力された受信信号がカラーフロー用の信号であれば検波信号を第２演算部６へ転送する。第１演算部５では第１メモリ部１２上のプログラムによりパルスドプラの演算を行い、第２演算部６では第２メモリ部１３上のプログラムによりカラーフロー演算を行い、それぞれ出力をＤＳＣ７へ転送する。
【００２３】
このような本発明の第１の実施の形態の超音波診断装置１００によれば、処理内容をそれぞれプログラムで記述できる第１演算部５と、第２演算部６と、処理するプログラムを格納する第１メモリ部１２、第２メモリ部１３と、第１演算部５と第２演算部６にどのモードのプログラムを実行するかを制御する制御部１１を設けることによって、カラーフロー単独モード又はパルスドプラ単独モードの場合のように、演算部５、６の信号入力速度の最大値が同時モードの倍大きいときには、カラーフロー用又はパルスドプラ用に２つの演算部５、６を使用し、カラーフロー・パルスドプラ同時モードの場合のように、演算部５、６の信号入力速度の最大値が単独モードの半分以下の場合には、カラーフロー演算用、パルスドプラ演算用にそれぞれ１つずつの演算部５、６を使用することによってハードウェアの無駄を省くことができる。
【００２４】
また、例えばパルスドプラ単独モードの演算量がカラーフロー単独モードの演算量の半分で、パルスドプラ用とカラーフロー用の超音波信号の送信間隔が等しいとき、パルスドプラ分の演算部を実装しなくても、３つのモードを実現することができる。
【００２５】
なお、第１メモリ部１２と第１演算部５と第２メモリ部１３と第２演算部６を有する演算処理部５０は、内部メモリを持ったＤＳＰ、ＣＰＵで実現できる。また、第１メモリ部１２と第２メモリ部１３をＳＤＲＡＭ又はＳＲＡＭとして、第１演算部５と第２演算部６を内部メモリの小さいＤＳＰ、ＣＰＵで実現できる。
【００２６】
＜第２の実施の形態＞
次に、本発明の第２の実施の形態の超音波診断装置１００を図２に示す。図２において、第１の実施の形態と異なる点は、転送手段であり制御手段である制御処理部２１と、第３の記憶手段である第３メモリ部１４により制御ユニット５１が構成され、第１メモリ部１２が第１の記憶手段で構成され、第２メモリ部１３が第２の記憶手段で構成されているところである。
【００２７】
以上のように構成された超音波診断装置１００について、その動作を説明する。ただし、送受信部１、探触子２、直交検波部３、断層像形成部４、ＤＳＣ７、モニタ８の動作は第１の実施の形態と同様の動作をするので省略する。
【００２８】
まず、パルスドプラ処理が記述されているプログラムとカラーフロー処理が記述されているプログラムが第３メモリ部１４に格納されていて、制御処理部２１がプログラムを第３メモリ部１４から読み出せる。制御処理部２１がモードを決定したとき、決定されたモードが（１）パルスドプラ単独モードの場合には、制御処理部２１が第３メモリ部１４に格納されている「パルスドプラ処理が記述されているプログラム」を第１メモリ部１２（又は第２メモリ部１３）へ転送する。第１演算部５の処理は、第１の実施の形態の（１）と同じである。
【００２９】
決定されたモードが（２）カラーフロー単独モードの場合には、制御処理部２１が第３メモリ部１４に格納されている「カラーフロー処理が記述されたプログラム」を第１メモリ部１２と第２メモリ部１３の両方に転送する。第１演算部５、第２演算部６の処理は、第１の実施の形態の（２）と同じである。
【００３０】
決定されたモードが（３）カラーフロー・パルスドプラ同時モードの場合には、制御処理部２１が第３メモリ部１４に格納されている「パルスドプラ処理が記述されたプログラム」を第１メモリ部１２へ転送し、また第３メモリ部１４に格納されている「カラーフロー処理が記述されているプログラム」を第２メモリ部１３へ転送する。第１演算部５、第２演算部６の処理は、第１の実施の形態の（３）と同じである。
【００３１】
以上のように、本発明の第２の実施の形態の超音波診断装置１００によれば、制御ユニット５１に第３メモリ部１４と制御処理部２１を設けることにより、第１メモリ部１２と第２メモリ部１３に各モードで第１演算部５、第２演算部６が行なう２つのプログラムを格納する必要が無く、第１メモリ部１２と第２メモリ部１３の容量を少なくすることができる。このことは、第１メモリ部１２と第１演算部５と第２メモリ部１３と第２演算部６を有する演算処理部５０は、内部メモリを持ったＤＳＰ、ＣＰＵとした場合、内部メモリが小さいＤＳＰ、ＣＰＵでも本発明を実現できることを示す。
【００３２】
＜第３の実施の形態＞
次に、本発明の第３の実施の形態の超音波診断装置１００を図３に示す。図３において、演算処理部５０内が、演算手段である演算部２８、記憶手段であるメモリ部２７で構成されており、メモリ部２７内は、プログラムを実行制御するＣＰＵの処理時間を短い単位に分割し、複数のアプリケーションソフトを順番に割り当てることによって複数のアプリケーションソフトを同時に処理することができる並列処理基本プログラムである、例えばＵＮＩＸ（Ｒ）、Windows（Ｒ）、ＭａｃＯＳ（Ｒ）などのマルチタスクＯＳ２９と、第１タスク部２５と第２タスク部２６が格納されている。
【００３３】
以上のように構成された超音波診断装置１００について、その動作を説明する。ただし、送受信部１、探触子２、直交検波部３、断層像形成部４、ＤＳＣ７、モニタ８の動作は第１の実施の形態と同様の動作をするので省略する。まず、各モードのプログラムとマルチタスクＯＳ２９がメモリ部２７に格納されており、制御部１１がモードを決定した際、演算部２８が第１タスク部２５と第２タスク部２６にメモリ部２７に格納されている処理を割り当て、マルチタスクＯＳ２９のソフトウェア制御機能による制御のもと、第１タスク部２５と第２タスク部２６が同時に実行される。
【００３４】
例えばカラーフロー単独モードの場合、第１タスク部２５と第２タスク部２６にカラーフロー処理が記述されたプログラムを割り当てて実行する。また、カラーフロー・パルスドプラ同時モードの場合、第１タスク部２５と第２タスク部２６のどちらか一方にパルスドプラ処理が記述されたプログラムを割り当てて実行するとともに、他方にカラーフロー処理が記述されたプログラムを割り当てて実行する。さらに、パルスドプラ単独モードの場合、第１タスク部２５と第２タスク部２６のどちらか一方にパルスドプラ処理が記述されたプログラムを割り当てて実行する。
以上のように、本発明の第３の実施の形態の超音波診断装置１００によれば、マルチタスクＯＳ２９が格納されたメモリ部２７と、第１タスク部２５と第２タスク部２６を用意することで、パルスドプラ専用ハードウェアとカラーフロー専用ハードウェアを用意しなくとも、１つの演算部２８で３つのモードを実行することができ、カラーフロー・パルスドプラ同時モード時の処理を行う際の無駄を省くことができる。
【産業上の利用可能性】
【００３５】
以上のように、本発明にかかる超音波診断装置は、カラーフロー専用ハードウェアとパルスドプラ専用ハードウェアの両方を用意せずに、カラーフロー単独モードとカラーフロー・パルスドプラ同時モードを実現できるという効果を有し、医用分野において超音波を利用して体内の断層像を取得・測定し、さらに超音波のドプラ現象を利用して体内の血流情報を取得・測定し、画像・音声出力を行う超音波診断装置などとして有用である。
【図面の簡単な説明】
【００３６】
【図１】本発明の第１の実施の形態における超音波診断装置のブロック図
【図２】本発明の第２の実施の形態における超音波診断装置のブロック図
【図３】本発明の第３の実施の形態における超音波診断装置のブロック図
【図４】従来の超音波診断装置のブロック図
【図５】他の従来の超音波診断装置のブロック図
【符号の説明】
【００３７】
１  送受信部
２  探触子
３  直交検波部
４  断層像形成部
５  第１演算部
６  第２演算部
７  ＤＳＣ
８  モニタ
１１  制御部
１２  第１メモリ部
１３  第２メモリ部
１４  第３メモリ部
１５  ＤＳＰ
１６  メモリ
１９  制御部
２０  ラスタ制御部
２１  制御処理部
２５  第１タスク部
２６  第２タスク部
２７  メモリ部
２８  演算部
２９  マルチタスクＯＳ
５０  演算処理部
５１  制御ユニット
６０  ドプラ信号処理部
１００  超音波診断装置
【図１】
2005253832.tif 000003
【図２】
2005253832.tif 000004
【図３】
2005253832.tif 000005
【図４】
2005253832.tif 000006
【図５】
2005253832.tif 000007